(57)【要約】【課題】ルアー操作時の疲労を軽減でき、沈降速度が速い釣り用メタルジグを提供すること。【解決手段】メタルジグ１の前部にライン係止部２が設けられるとともに、メタルジグ１の後部にフック係止部３が設けられている。メタルジグ１の全長に対して前後方向における後方側５０％以下の部分４に金属製錘部６が設けられている。メタルジグ１の全長に対して前後方向における少なくとも前方側５０％の部分５が金属板からなる。【選択図】図１
0003224531.tif 000002
【実用新案登録請求の範囲】
【請求項１】
釣り用メタルジグであって、
前部にライン係止部が設けられるとともに、後部にフック係止部が設けられ、
メタルジグの全長に対して前後方向における後方側５０％以下の部分に金属製錘部が設けられ、
メタルジグの全長に対して前後方向における少なくとも前方側５０％の部分が金属板からなる、釣り用メタルジグ。
【請求項２】
前後方向に長い金属板からなる心板を備えるとともに、前記心板の全長がメタルジグの前記全長であり、
前記錘部は、前記心板の全長に対して前後方向における後方側５０％以下の部分に錘部形成用金属が固着されることで形成されたものであり、
メタルジグの前記少なくとも前方側５０％の部分が、前記心板の全長に対して前後方向における少なくとも前方側５０％の部分で形成されている請求項１記載の釣り用メタルジグ。
【考案の詳細な説明】
【技術分野】
【０００１】
本考案は釣り用メタルジグに関する。
【０００２】
なお、本考案に係る釣り用メタルジグの前後方向については、メタルジグにおける道糸等のラインが係止される側をメタルジグの前側、その反対側をメタルジグの後側と定義する。
【背景技術】
【０００３】
魚釣り用ルアーの一種であるメタルジグとして、例えば特許文献１（特許第４１７３２５０号公報）に開示されたメタルジグが公知である。
【０００４】
このメタルジグは、前後方向に長い金属板からなる心板を備えており、この心板の前後方向の略全体に錘を形成する金属が固着されている。
【０００５】
なお、その他のメタルジグを開示した文献として、例えば特許文献２（実用新案登録第３１９５６０２号公報）及び特許文献３（実用新案登録第３０９７２８８号公報）がある。
【０００６】
ところで、サンマ、太刀魚等の比較的大型の魚を捕食する魚（例：ハマチ）を釣りたい場合は、サンマ、太刀魚等と略同サイズの比較的大きなメタルジグが用いられるのが一般的である。
【先行技術文献】
【特許文献】
【０００７】
【特許文献１】特許第４１７３２５０号公報
【特許文献２】実用新案登録第３１９５６０２号公報
【特許文献３】実用新案登録第３０９７２８８号公報
【考案の概要】
【考案が解決しようとする課題】
【０００８】
しかるに、特許文献１のメタルジグでは、上述したように心板の前後方向の略全体に錘形成用金属が固着しているので、メタルジグを大きくすると、その重量が重くなり、ルアー操作時に疲労がたまり易い。一方、心板への錘形成用金属の固着量を減らしてメタルジグを軽くすると、水中での沈降速度が遅くなり、釣りたい魚がいるレンジ（水深位置）への到達時間が長くなるという問題が生じる。
【０００９】
本考案は、上述した技術背景に鑑みてなされたもので、その目的は、ルアー操作時の疲労を軽減でき、沈降速度が速い釣り用メタルジグを提供することにある。
【課題を解決するための手段】
【００１０】
本考案は以下の手段を提供する。
【００１１】
１）  釣り用メタルジグであって、
前部にライン係止部が設けられるとともに、後部にフック係止部が設けられ、
メタルジグの全長に対して前後方向における後方側５０％以下の部分に金属製錘部が設けられ、
メタルジグの全長に対して前後方向における少なくとも前方側５０％の部分が金属板からなる、釣り用メタルジグ。
【００１２】
２）  前後方向に長い金属板からなる心板を備えるとともに、前記心板の全長がメタルジグの前記全長であり、
前記錘部は、前記心板の全長に対して前後方向における後方側５０％以下の部分に錘部形成用金属が固着されることで形成されたものであり、
メタルジグの前記少なくとも前方側５０％の部分が、前記心板の全長に対して前後方向における少なくとも前方側５０％の部分で形成されている前項１記載の釣り用メタルジグ。
【考案の効果】
【００１３】
本考案の効果について理解を容易にするため、後述する実施形態で用いた符号を使って説明すると以下のとおりである。ただし、本考案は後述する実施形態に限定されるものではない。
【００１４】
前項１では、メタルジグ１の錘部６がメタルジグ１の全長に対して前後方向における後方側５０％以下の部分４に設けられることにより、メタルジグ１が大きい場合でもその重量の増加を抑制することができ、そのため、ルアー操作時の疲労を軽減することができる。さらに、メタルジグ１の全長に対して前後方向における少なくとも前方側５０％の部分５が金属板からなることにより、メタルジグ１の水中沈降時における水の抵抗が減り、そのためメタルジグ１の沈降速度を速めることができる。
【００１５】
さらに、このメタルジグ１の重心位置はメタルジグ１の前後方向の略中間位置ではなく上述した特許文献１のメタルジグに比べてかなり後端部側に寄った位置にあるので、このような重心位置を有するメタルジグについて、その前部に設けられたライン係止部２に道糸等のラインを係止するとともに、その後部に設けられたフック係止部３にフックを係止し、キャスティングすると、このメタルジグ１は確実にその後端部側を先頭にして飛んでいくため、キャスティング時にフックがラインに絡みにくいという利点がある。
【００１６】
さらに、水中にキャスティングされたメタルジグ１は確実にその後端部側を先頭にして沈降していくため、水中沈降時にもフックがラインに絡みにくいという利点がある。しかも、メタルジグ１が水底に着地した状態では、メタルジグ１はその後端部だけが水底に接触した起立姿勢を確実に採ることができるので、メタルジグ１を太刀魚などに似せることができる。そのため、メタルジグ１はこのような姿勢の魚を捕食する魚（例：ハマチ）を釣りたい場合にも好適に用いることができる。
【００１７】
前項２では、メタルジグ１の錘部６は、心板１１の全長Ｌに対して前後方向における後方側５０％以下の部分１４に錘部形成用金属１６が固着されることで形成されたものであり、メタルジグ１の少なくとも前方側５０％の部分５は、心板１１の全長Ｌに対して前後方向における少なくとも前方側５０％の部分１５で形成されているので、メタルジグ１の製造が容易である。
【図面の簡単な説明】
【００１８】
【図１】図１は本考案の一実施形態に係る釣り用メタルジグの側面図である。
【図２】図２は同メタルジグの平面図である。
【図３】図３は図１中のＡ−Ａ線拡大断面図である。
【図４】図４は同メタルジグの心板の側面図である。
【考案を実施するための形態】
【００１９】
本考案の一実施形態について図面を参照して以下に説明する。
【００２０】
図１〜３に示すように、本考案の一実施形態に係る釣り用メタルジグ１は、魚を釣るために用いられるものであり、特に、サンマ、太刀魚等の比較的大型の魚（詳述すると長くで細い魚）を捕食する魚（例：ハマチ）を釣るために好適に用いられるものである。
【００２１】
図１に示すように、メタルジグ１の側面視の形状は、釣りたい魚に対して餌となる魚（本実施形態ではサンマ）の頭部から胴体部までの部位を側面視で模した形状である。
【００２２】
メタルジグ１の前端部には、釣り竿などから延びた道糸などのライン（図示せず）が係止されるライン係止部２が設けられている。メタルジグ１の後端部にはフック（図示せず）が係止されるフック係止部３が設けられている。
【００２３】
メタルジグ１の全長に対して前後方向における後方側５０％以下の部分４には金属製錘部６が設けられている。
【００２４】
メタルジグ１の全長に対して前後方向における少なくとも前方側５０％の部分５は金属板からなり、即ち金属製であって板状に形成されている。ここで、メタルジグ１の全長に対して前後方向における少なくとも前方側５０％の部分５を、以下では説明の便宜上「メタルジグ１の少なくとも前部５」という。
【００２５】
メタルジグ１の構成について以下に詳しく説明する。
【００２６】
メタルジグ１は、図４に示すように前後方向に長い平板状の金属板からなる心板１１を備えている。心板１１は例えばステンレス鋼板からなる。心板１１の厚さは心板１１の前後方向に一定である。本実施形態では、心板１１の全長がメタルジグ１の全長となっている。
【００２７】
図１及び２において、「Ｌ」は心板１１（即ちメタルジグ１）の全長である。「Ｌ／２」は心板１１（即ちメタルジグ１）の全長Ｌに対して丁度半分の長さ位置である。
【００２８】
心板１１の全長Ｌは限定されるものではなく、好ましくは２００ｍｍ〜５００ｍｍである。心板１１の厚さは限定されるものではなく、好ましくは１ｍｍ〜２ｍｍである。
【００２９】
心板１１の前端部にはライン係止部２としてのライン係止孔１２が穿設されている。心板１１の後端部にはフック係止部３としてのフック係止孔１３が穿設されている。
【００３０】
図１及び２に示すように、メタルジグ１の上述した錘部６は、心板１１の全長Ｌに対して前後方向における後方側５０％以下の部分１４にのみ錘部形成用金属１６が鋳造によって固着されることで形成されたものである。金属１６としては、鉛、ダングステン、ビスマスなどの高比重金属が用いられる。なお、心板１１のフック係止部３には錘部形成用金属１６は局部的に固着されていない。
【００３１】
さらに詳述すると、図２及び３に示すように、錘部形成用金属１６は、心板１１の全長Ｌに対して前後方向における後方側５０％以下の部分１４（この部分１４を以下では「心板１１の錘部形成予定部１４」ともいう）に心板１１よりも厚肉になるようにその厚さ方向両側にそれぞれ断面略円弧状に膨出した状態に固着している。
【００３２】
錘部６の形成方法について具体的に説明すると次のとおりである。
【００３３】
図４に示すように、心板１１の錘部形成予定部１４の上下両側縁部（詳述すると上下両縁部の後方側の部分）にはそれぞれ当該側縁部に沿って延びた切り欠き部１７、１７が設けられており、更に、心板１１の錘部形成予定部１４には複数の貫通孔１８が心板１１の長さ方向に間隔をおいて穿設されている。
【００３４】
そして、この心板１１の錘部形成予定部１４を図示しない鋳型のキャビティに配置し、このキャビティに溶融した錘部形成用金属１６を流し込んで凝固させることにより、金属１６を心板１１の錘部形成予定部１４にその厚さ方向両側にそれぞれ断面略円弧状に膨出した状態に固着させている。この固着状態では、図３に示すように、心板１１の錘部形成予定部１４の厚さ方向両側にそれぞれ膨出した金属膨出部１６ａ、１６ａ同士は、心板１１の錘部形成予定部１４の切り欠き部１７及び貫通孔１８を通じて互いに一体に連結している。そのため、金属１６は心板１１の錘部形成予定部１４に強固に固着されている。
【００３５】
図１及び２に示すように、メタルジグ１の上述した少なくとも前部５は、心板１１の全長Ｌに対して前後方向における少なくとも前方側５０％の部分１５で形成されており、心板１１のこの部分１５には錘部形成用金属１６は固着されていない。したがって、この部分１５は金属板からなる。さらに、この部分１５におけるライン係止孔１２（ライン係止部２）の後方側近傍の両面にはそれぞれ餌となる魚の頭部（吻部、目部及びえら蓋部）の絵１９が塗装されている。
【００３６】
本実施形態のメタルジグ１は、従来のメタルジグと同じように使用され、ルアー操作時の疲労を軽減することができるしメタルジグ１の沈降速度を速めることができるなどいった利点を有する。
【００３７】
以上で本考案の一実施形態について説明したが、本考案は上記実施形態に限定されるものではなく、本考案の要旨を逸脱しない範囲で様々に変更可能である。
【００３８】
例えば、上記実施形態では、メタルジグ１の側面視の形状は、サンマの頭部から胴体部までの部位を側面視で模した形状であるが、本考案では、その他に、例えば太刀魚の所定部位（例：頭部から胴体部までの部位）を側面視で模した形状であってもよいし、その他の魚や餌の所定部位を模した形状であってもよい。
【００３９】
また本考案では、メタルジグ１の絵１９の目部には、餌となる魚の目部を模したプラスチック（樹脂を含む）やガラス製などの目部が局部的に接着剤等により接着されていてもよい。
【産業上の利用可能性】
【００４０】
本考案は釣り用メタルジグに利用可能である。
【符号の説明】
【００４１】
１：メタルジグ
２：ライン係止部
３：フック係止部
６：錘部
１１：心板
１４：心板の全長に対して前後方向における後方側５０％以下の部分
１５：心板の全長に対して前後方向における少なくとも前方側５０％の部分
１６：錘部形成用金属
【図１】
0003224531.tif 000003
【図２】
0003224531.tif 000004
【図３】
0003224531.tif 000005
【図４】
0003224531.tif 000006